(57)【要約】      （修正有）【課題】量の増減にもフレックスに対応でき、増える情報、資料を簡単に瞬間的に収納できるファイルを提供する。【解決手段】２つのクリアホルダーを背中合わせにし、あるいは様々な素材のシートを二枚並べ、背表紙を作るために間にクリアホルダーと同様の素材か様々な素材のマチを入れる。完成したい厚さにより、２ミリなどの細く切ったり、あるいは幅の太いものを作る場合は１０センチ以上でも必要なサイズのマチを用意し、マチと各表紙との間隔を、素材によって幅は調整すべきだが、クリアホルダーでは、０．５ミリ弱ぐらいの隙間をあけ、製本テープ、あるいは、製本テープ様の接着剤のついた紙または布にそれぞれを張り付けて接着する。【選択図】図１
2016117230.tif 000002
【特許請求の範囲】
【請求項１】
紙などの書類や物を入れるファイルやホルダーにおいて、
表紙になる、クリアホルダーあるいは様々な材質の矩形のシート二枚を、それら二枚の間に、同質または様々な材質のマチを、開閉しやすいようにマチと表紙になるそれぞれのシートの間にすき間をあけてならべた状態で、製本テープ、あるいは紙や布などに接着剤を付けたものなどで張り付けてつないだもので、背表紙(マチ）があって、3方向が解放する形の、留め具がなく、非常に薄い、2ミリほどの厚さも製作可能な、書類等を単に挟むという形で収納するという特徴のあるファイルとそのバリエーション、および、中に挟む様々なバリエーションのレフィル。
【請求項２】
上記のファイルで、安価なものをつくる目的で、簡易に作成するために、二枚の表紙とマチを切り離さず、一枚のシートを、表紙とマチの間を単に2か所折り曲げて作成した、3つの部分が一つづきになっているファイル。
【発明の詳細な説明】
【技術分野】
【０００１】
本発明は、書類や物を入れるファイルの形態とそのシステム及びバリエーションに関してのものである。全体の把握、整理、編集しやすく、特に稼働中の書類や物を入れるのに有効なファイルである。そのため、頭の中を整理し、目標と現在の状況を明確にして、問題解決、目標達成、知的生産、そして、心のヒーリングをする一助になるという特徴を持った新型のファイルに関してのものである。
【背景技術】
【０００２】
紙類を束ねたり、まとめる技術は、紙の上での文字や絵、いわゆる意匠と言われるものなどの表現を使いこなして飛躍的にその文化を深遠なものにしてきた人類の高度な進化とともにしだいに発達してきた。
各種の紙類、書類をまとめ、収納するにあたって、日本において古くは細長くつないで巻物にしたり、折り本にしたりしていた。または、千枚通しで穴をあけてひもを通して結んでまとめる、ということが一般的だった時代も永かった。
【０００３】
今日、表紙がなく、ただ、書類をバラバラにならないようにまとめるものに、クリップやホチキスなどもある。クリップには、ゼムクリップ、ターンして使うダブルクリップ、昔ながらのばねを使ったはさむクリップもある。ホチキスも簡単に書類がまとめられ便利であるが、これらも進化し、留めたとき、裏側の針の折れ曲がったところが、山型に飛び出さず、水平になるものや、紙に切れ込みを入れて綴じるタイプのもので、針をまったく使わないというものも登場した。切った紙の部分が自動的に折れ曲がって違う部分を通りぬけてしっかり留まるものなどもあり、どこまで進化するのか興味深い。
糸で綴じる形態も、製本技術などが発達してきており、綴じ方も、洋綴じ、和綴じ、など様々なものがある。和綴じの中にも、くるみ綴じ、四つ目綴じ、亀甲綴じ、康熙(こうき）綴じなど、日本には、古くから、糸で綴じることに関して非常に深い文化がある。洋製本の技術も、角背上製本、丸背上製本などある。(非特許文献5)
近年は、 のりの技術が進歩し、 のりづけによって製本されているものが多くなった。
ノートも糸綴じの物と、のりで綴られているものがある。ノートは紙が非常にコンパクトにまとめられている。 レポート用紙、メモ帳などはのりで綴られているがゆえに、まとまっているものを、一枚づつ手軽に切り離して使用できる。
【０００４】
現在、書類等を入れる、 表紙、 裏表紙がついて、 手軽に書類を収納出来る様々なものが流通している。
【０００５】
穴のあかないパンチレスファイルとして、 レバーで操作して、 上から留め具で押さえ、 バネで圧力を使ってしっかり力を保持する押圧部を持っているファイルが登場した。家庭などでも手軽に購入できる安価の、2穴パンチが普及してからは、 表紙、裏表紙に様々な形の穴を通す金具、 部分がついているファイルが多数出回るようになった。
フラットファイルという名前で、一枚の厚紙を折って両表紙と留め具をつける部分を形成しているのものに、２穴パンチで穴をあけた書類の２つの穴を通した後綴じ足を所定の方向に倒して金具などを滑らせて止めるという形態の留め具がついている、というファイルが、大変安価になり、非常に普及している。綴じた後、頻繁に順番を入れ替えることをしないものには安価で便利だ。
また、穴を通すところが、簡単に開け閉めできる、Ｏリングのついたファイルが登場した。書類に穴をあけ、綴じた後、書類の順番を入れ替えるのが非常に簡単になった。 穴を通す留め具の形は、 Dリングやまっすぐの棒になっているものなど、 しだいに留め具自体が邪魔にならないものとか、強度を上げて、たくさんの書類の重さ耐えれるようになっているものなどの構造に工夫がこらされてきた。 どんどん増える書類を片っ端か入れても、 あとから順番を入れ替えられるので、 手軽であり、 とりあえずとっておくことも出来るということもあってか、 厚さが10センチを超えるような、非常に分厚いファイルも見受けられるようになった。
順番が完成したら、あまり入れ替えないことが前提のアルバムなどで使われている、ねじ式の留め具もある。
【０００６】
たくさんの穴をあけて、 その穴をリング等に通して綴るものに、 ルーズリーフがある。 たくさんの穴で保持するので、快適にめくることが出来る。ノートの代わりに、このルーズリーフに書けば、あとで、ページをはずして、まとめ直すことが出来る。 はずして少ない紙だけでも持ち運びができるので便利である。 はじめは、 留め金が金属で、 ファイル自体が重く大きかったが、 しだいに、留め具がプラスチックなどの素材で、 留め具の形状が丸でなく四角のべったんこ型の薄いものなどが登場し、薄く、軽く、安価なものも増えた。また、 手持ちの紙や資料にルーズリーフ専用の穴をあけることが出来るパンチが個人でも買える値段で登場して、自分で紙等に穴をあけ、色々なものが閉じ込めることができるようになった。また、白紙のルーズリーフや専用パンチを使い、パソコンと組み合わせて、独自のシートをつくって、ノートや資料集にしたり、工夫がこらせることができるようになり便利になった。
【０００７】
1枚2枚の書類を大事に保管するのにカードケースというものもある。堅いケースと柔らかいケースがある。また、デスクに敷く透明なシートも中に紙類を入れることが出来る。学習机の表面に時間割を入れたりできる。
【０００８】
そして、さらに進化を遂げたものに、ポケット付きのクリアファイルがある。ファイルが分厚く、たくさんポケットがあるもの、また、 安価なものでは10ポケット20ポケットなどのポケット付きクリアホルダーが100円ショップなどにも出回り、止めつける綴じ具がなく、薄く軽量で手軽なこともあり、かなり普及した。ルーズリーフ型の一枚ずつクリアポケットのリーフがバラバラになるものもある。 台紙の追加も出来て、使い方によっては便利である。
【０００９】
今、 かなり大量に出回っているものにクリアホルダーがある。 1枚の透明、 あるいは着色のポリプロピレン製のシートを折りたたみ、 たたんだ背のところからつながった一方向を超音波式接着法でつないであるという、2方向が解放している紙ばさみ、である。1枚の紙もその中にいれるとしっかりし、サイズの小さい紙などもその中にいれると行方不明になりにくい。 パンパンになるまではかなりの枚数を挟み込むことが出来、 もちろん金具が無いため快適で、 薄く、とてもしなやか、である。 書類を細かく分類し、まとめるのには大変便利である。 これは、ただシンプルにはさんでしまう快適さを感じることが出来る。
【００１０】
大量の書類に関しては、風呂敷に包む、紙袋に入れる、段ボール箱に入れるなどがある。書類専用のしっかりした段ボール箱もある。ファイルボックスという厚みが10センチ前後のものがあり少し手軽である。棚に入れても多少出し入れしやすい。横から見た姿が正方形でなく、手前の書類を入れる側を斜めに切った形のものが100円ショップに登場して、折りたためることもあり、急にふえた書類をまとめていれたりするのに便利である。 そのファイルボックスごと棚にいれれば、本立ての役割もこなし、左右もファイルボックスか本立てであれば、ファイルボックスごと取り出せば、残った書類が倒れることはない。
もう少し薄いものに、書類ケースがある。ハードケースのものとファスナーのついた柔らかい袋型のものもある。
【００１１】
引出の中に横にしていれるファイルで、書類を挟むようになっていて、ハンガー型の、バーチカルファイルと言われるタイプの物もある。
【００１２】
書類を入れるのに、 封筒に入れるという、かつてからの方法がある。
すべての書類を封筒の上を切ったものに入れ棚に立ててならべ、新しいものや使用したら、右端に入れ、古く、使わないものが自動的に左端に押し出されるという方法が流行ったこともある。 入れ物としては上を切った封筒である。 封筒なのでたくさん入れることもでき、量に関してかなりフレックスで見出しも見え、 自動で古くなって使ってないものを点検できるのは画期的な方法だ。(非特許文献4)
【００１３】
情報を集積し、整理したり、そこから新しい発想や事業の実現、問題解決や研究の成果をまとめていくのには、ＫＪ法に代表される、紙のカードが使う手法がある。１カード１ファクトという言葉にあるように、一つの情報は一枚の紙に書く。事実からできるだけ先入観のない、ありのままの姿をあきらかにするため、細部から、近しいものをまとめ、タイトル、表題をつけていくというやり方でまとめていき、全体の姿を知って、発想や成果ににつなげるのである。（非特許文献2,3,4）他にも、近年、発想に関して様々な方法がある。
１ファクトの分量がかなり多い場合もあると思うが、その紙の収納については不明なのだが、カードボックスなどもある。輪ゴムを使うと手軽にまとまる。
【００１４】
これらのように、人類の永い歴史とともに、様々な紙類の書類等をまとめたり、収納する技術がある。
【先行技術文献】
【特許文献】
【００１５】
【特許文献１】特開平8‐300866号公報
【特許文献２】特開2000-343865号公報
【特許文献３】特開2011-148105公報
【特許文献４】特開2001-150887号公報
【非特許文献】
【００１６】
【非特許文献１】発想法ー創造性開発のために  中公新書（136）  1967/6/26
【非特許文献２】続・発想法  川喜多二郎  中公新書（210）  1970/2/1
【非特許文献３】知的生産の技術  梅棹忠夫  岩波新書  1969/7/21
【非特許文献４】「超」整理法  情報検索と発想の新システム  野口悠紀雄  中公新書  1993/11/1
【非特許文献５】いちばんわかる  手製本レッスン  井上夏生（製本工房ＭＡＲＵＭＩＺＵ‐ＧＵＭＩ代表）監修  （株）スタジオタッククリエイティブ  2012/5/25
【発明の概要】
【発明が解決しようとする課題】
【００１７】
昨今、情報のあふれる時代に突入している。インターネットやコピーの技術がたいへんに発達した時代になった。
その中で、一つの新しい情報は、インターネットやマスメディアを通じて、瞬時に世界中を駆け巡る。
人々が、簡単につながらなかった時代には手に入らなかった情報も簡単に手に入るようになり、大変便利な時代となった。また、様々な資料も、手書きで書き写すしかなかった時代から、非常に簡単にコピーができるようになった。
たいへん便利になった反面、一個人、すなわち、たった１人の受け手のところに、世界中の人々が考えたものが、簡単に届いてしまう。必然的に、一個人のところに様々な大量の情報が集まることになった。ものすごくたくさんの発信源から一気に情報が届くのである。
うっかりすると、その洪水に飲まれてしまい、身動きできない事態になってしまうことも起こってくるようになった。
家庭でも、市からの広報、子供たちの数だけ、各学校からの案内が届き、塾や習い事などの案内、さらに、学校を通じて地域の行事や催し物など、次々と届く。
パソコンが発達し、ペーパーレス、紙を使わない時代を求めつつも、紙の需要は、今だに、年々少なくなることはない。
【００１８】
ファイリングの上手な人、上手でない人、捨てるのが上手な人、下手な人、いろいろな人がいる中で、あふれる紙の資料に悩み、混乱し、時に、大事な資料が、必要なときに見つからないという事件が起こる。情報過多の中でストレスはたまり、自分の行先や目指すものを見失って、自信を失っている人も多い。
例えばの例をあげると、料理のメニューのレシピもあふれかえって、いくらでも料理のレシピが手に入る。言い過ぎを覚悟で記述するが、もしかしたら、母から受けつがれた料理より、世の中にはすごいメニューがある、という錯覚に陥っている母たちの存在があるのではないか。あふれる雑誌などから、切り取ったレシピも行方が分からなくなって、膨大な情報にひるみ、自分は料理が下手と自信を失って、市販の料理のもと、や、買ってきた惣菜でないと夕食が出来なくなってしまった母の存在がありはしないか。同時に親としての子育ての自信までも失っているのかもしれない。
行方不明の資料探しに、貴重な時間を取られ、大事な頭や体が疲労してしまう。頭が整理できない、といううんざり感がさらに行動にキャップをし、ストレスを生む。
【００１９】
資料を探すにあたって、その資料が、パソコン上のデータではなく、物としての資料であるにも関わらず、パソコンの検索機能が使えるといいなと思ったことがある方もいるのではないだろうか。しかし、エクスプローラーも検索は出来るとしても、全体の情報をも見渡す、ということはあまり得意ではないのではないか。パソコンも中が見渡せないので、意外と整理できてなかったり、どこに登録したかわからなくなったものはないだろうか。
おまけに、パソコンでは内容は近しいが、文字列がまったく異なる情報を検索するのは難しい。すばらしいことに、人間の脳というのは、近しいあるいは似ているというものを認識できる、人間ならではの能力がある。これを是非活用したい。直感力アップのための書類、物からの後押しに期待したい。
【００２０】
物には少なからず、自分の気持ちや意志、アイデアが入っている。まわりのものには、ある部分、頭の中が反映されている。
物や大事にしている情報を通じて、頭の中、あるいは、自分自身や現在の状況をそのまま分かることができ、自分が自分を、あるいは他人が自分を知ることが出来る。現在、やっていることは何なのか、何が大事か、何を目指しているのか。解決すべき問題点は何か。必要ことは何で、必要でないことは何か。そこに焦点を当て、いつも、見つめるにはどうすればよいか。
大事なことを見つめる、ということが、甘くなってくると、人は行先を見失い、夢を見失い、個人は疲れ果て、会社は倒産の方向に足を踏み入れ、国家も行先を見失い、破たんへの道を歩むことになるかもしれない。大事なものを見つめ、目指すものをはっきりさせることは重要である。俯瞰して全体を見渡すことができると、どんなにすっきりするだろうか。
物を通じてそれらのことをわかりやすくすることができるとたいへん良い。紙の資料なども俯瞰し、何があるか、どうなっているのか、見渡すことが出来ることは重要である。資料や物の表題を見渡して眺めることができればで全体像がつかみやすい。整然と並んだ情報が、ロケーションとともに頭の中に記憶されれば、さらに頭の中にそのアイデアは刻印されて、実現に向かう手伝いをしてくれるかもそれない。
混沌の時代を生き抜き、新しい時代を切り開いていくために、このような、紙の資料、情報や物の入れ物としてのファイルについても進化が必要で、入れ物をどのような形態にするかということは大きな課題である。
【００２１】
新しい考え、アイデアを生み出すには、試行錯誤が必要である。
様々な情報、資料などを、集めやすく、まとめやすく、分類しやすく、また、頻繁な試行錯誤に対応して、抜き差し、入れ替えしやすいことがとても重要である。大きな一つのファイルにたくさんの情報が閉じ込められていると、抜き差ししにくく、別の大きいファイルに関連のある、近しい情報があっても関連づけられるチャンスを失うかもしれない。アイデアの化学反応は起きにくい。
そして、また、新しいアイデアを実現するには、様々なアイデアを集め、ブレンドし、抽出し、整理し、考え抜き、決定し、優先順位をつけ、それを、ひとつひとつの小さな行動に移していく必要がある。
そしてまた、膨大な情報を役に立てるには、それぞれのたった一人の人間の口の大きさ、身の丈に調えて、磨き上げて提供する必要がある。ある意味、口の大きさになってないものは無いに等しい。また、その加工をやっていくだけで、ビジネスは成り立ち、結果に結びつくのではないかと考える。
たくさんの情報の試行錯誤に耐えうる入れ物、ハードとしてのファイルの形態は課題である。
【００２２】
また、新しい作業をしていくにはテーブルをきれいさっぱりあける必要がある。テーブルが片付かないと新しいことを展開できない。そのスピード感も求められる。穴をあけて、綴じこんで、という、手元のものを、棚に入れるという作業がさらにスピードアップすればどんなに楽になるであろうか。情報が届いたり発生した時に、瞬時に判断し、一番小さな塊をしっかりまとめ、ポジションを決定し、分類しきるのは難しい。情報の抜き差し、試行錯誤にもスピードを上げることは課題である。時間の短縮は、かかる経費の削減にもつながる。
【００２３】
また、量の急激な変化にも耐えうるとなおよい。
急に情報や物の量が増えることがある。通常のファイルは、情報量が増えてくると、分厚くなって綴じられなくなったり、透明ポケットが足りなくなったりして、新しいファイルを買い足さなくてはならない。ファイルによれば、その限界がかなり少ないものもある。そのまま放置するか、買いに出かけなくてはならない。情報が、かなり増えたとしても、フレックスにそのまま対応できるものがあるとありがたくてなおよい。
人間の脳は、素晴らしいことに、膨大な情報の処理がオーバーした時は、自動的に、忘れる、というすばらしい機能がついている。通常はその機能は、困ることが多いのであるが、資料や物の場合は自動的に減ってくれないので非常に困る。入れ物を増やすか、または、あきらめて、捨てるという作業をしなくてはいけない。場合によっては、もしかしたら、大事な情報とともにすべて捨て去るか、である。意志を持って、あるいはルールを決めて自動的にやらなければ、大変なことになってしまう。大きいファイルに閉じ込められていると、アクセスがやりにくい上に、必要不必要がわかりにくく、捨てることもやりにくい。いかに捨てるかも大きな課題である。
このように、廃棄しやすさも含め、量に対してフレックスに対応できるファイルも求められている。
【００２４】
以上のように、今の時代には、薄く、たくさん見渡すことがしやすく、特に未完成の書類等の頻繁な入れ替えに抜き差ししやすく、量の変化に対応できて、廃棄しやすいファイルが求められている。その上で、ファイルには、それが何であるか、目指すところが何であるか、という見出し、タイトルが良く見え、見出しが語りかけてくるぐらいのインパクトが欲しい。直感さえもさえわたって来るのに違いない。見出しを眺めながら、近しいものを並べ替えたりしているうちに、全体をまとめたり、新しいアイデアが誕生するチャンスを期待したい。
【００２５】
これらのことを考えて、これまでの、紙を束ねたりまとめる技術の歴史を見てみる。
巻物や折り本は目的の場所を探しにくく、千枚通し、クリップ、ホチキスに背表紙はつけにくい。糸綴じは目に水平な背表紙をつけにくく、洋綴じは背表紙はあるが、完成した書類には向いているものの、未完成の書類の抜き差しは出来ない。
ノートはコンパクトで軽く、かなり薄く、機動力がある。30枚のノートで約3.5ミリの厚さである。しかし、資料の順番を変えるには切り取ったり、張り付けたりしなければならず、もっと細かく言えば、未使用のページの厚さを減らすことはしにくい。ノートの厚さ分、棚の幅を取ってしまう。一冊ならともかくも、何冊も増えれば、かなりの未使用の紙の幅をとることになる。
パンチレスファイル、Ｏリングファイル、Ｄリングファイルは金具の厚さを減らすことはできない。抜き差しは、もちろん、金具から外さなくてはならないし、また、テーブルに広げた時金具が邪魔になり、その上での作業はやりにくい。
フラットファイルは、安価で、金具もそう厚くないが、出回っているものは背表紙が幅2センチはある。そして、書類に穴をあける必要があり、一度穴を通して綴じ付けると、抜き差ししにくい。
大量の書類を保存するのに、厚さが10センチにもなるファイルがある。これは出し入れするのに重く、棚に立てると背表紙を工夫しなければ表題が見にくく、タグでは表題が見渡ししにくい。
留め具のあるファイルは、廃棄する時、留め具から書類を外さなくてはならない上に、ファイルそのものを廃棄する時に各表紙と、留め具自体を取り外すのが手間である。
ルーズリーフは留め具の厚みを免れることは出来ず、中身につけたタグは棚に立てた時、外から見渡すことが難しい。また、よく資料が増えた時、留め具にはさまらない量になる。何より26穴とか20穴とかの専用の穴をあける必要がある。
カードケースやクリアホルダーについてだが、特にクリアホルダーは安価で、2方向あいていて手軽であるが、目に平行な背表紙がない。タグをつけると目に垂直となり、見えにくい。たくさん資料を入れたまま棚に立てると中身が何かわかりにくい。
複数のポケット付きの冊子になっているクリアファイルはかなり薄いものも出回っている。スリムタイプというものもあるが、背表紙が正面を向くものはやはり1センチぐらいの厚みがある。また、資料を入れる方向が一方向で、やや入れにくく、ホルダーの順番の入れ替えは間に一つ挿入して入れるのに、一つずつずらすのに、たくさん出して入れ替えなければならない。かなり手間だったりすることもある。
風呂敷や段ボールは、特に段ボールは入れてしまうとまた、出してきて使うのも大変になる。その中に入れ方にもよるが、どこに目的の一枚があるか一目でわかりにくい。ファイルボックスもとりあえず立てることは出来て机の上がきれいになるが、タグや内容の表示をきちんとしなければ、何が入っているかわかりにくく、あとで使いにくい。中の頻繁な入れ替えには正面から見える面の外のラベルを頻繁に書き換えなければいけない。
書類ケースは表題をつけにくいものもある。固いものは1枚や数枚の書類を入れてもケースの厚みをとってしまう。
ハンガー型のファイルも表題はタグをつけるしかなく、やや見にくい。
紙の封筒はたくさん入って安価でいいが、使用していると、封筒が傷んできて、よれよれになり、名前も手書きだったりすると、棚に立てた時、あまりきれいに見えない。また、封筒の厚さ以上は入らない。もちろん、表題が目と平行にならない。書類が1枚だったりすると、厚みがなく、表題が見にくく、探しにくい。
情報カードなどのカードを棚に立てるのには箱型のカードケースに入れるのか、入れ物が不明であるが、そもそも、棚に立ててならべるのを想定してない気がするが、表題をつけにくい。
【００２６】
そうしたことを考え合わせ、まとめると、新しい時代に対応した、全体の把握と試行錯誤のための、紙などの書類や物を入れるための新しいファイルとして、次のようなものを作るのが課題である。
1.背表紙がついて、見渡しやすい極力薄いもの
2.頻繁な入れ替えに抜き差ししやすく、機動力があって、廃棄しやすいもの
3.量の変化に対応できるもの
【課題を解決するための手段】
【００２７】
ファイルを棚に並べて極力たくさんの表題を見渡せるようにするため、また、試行錯誤のためのファイルの抜き差し、移動を楽にするため機動力を上げるためには、背表紙があって、極力、薄く軽いファイルをつくることが必要である。
手段として、まず、背表紙をつくるために、表紙の間にマチを入れることとした。極力、細いマチである。文字が快適に見えるのは老眼になることも考慮して、快適に表題が見えるのは、背表紙2ミリまでというのがわかった。背表紙が2ミリのものは作成可能である。
細い背表紙、薄いファイルを実現するには、表紙の材料を折り曲げて作るのでは難しいことがわかった。表紙の材料を折り曲げてしまうと、どうしても、背表紙自体が歪曲してしまう。背表紙が少しでも歪曲すると文字が見えにくくなり、細いものを作るのはむずかしくなる。
そこで、極力細い背表紙をつけても文字が見えるようにするためには、背表紙が歪曲しないよう、接続部分がスムーズに可動しやすいように、各表紙と細いマチを切り離した。そして、二つの間に折れ曲がりやすいように、ほんの少し、すき間をあけて、製本テープで貼り合わせた。
すると、2ミリという細さの背表紙も実現することが出来た。4方向のうち1方向のみつながっている、すなわち、3方向が解放しているファイルとなった。
貼り合わせるテープは、強度のある、柔らかい紙や布ならどのようなものでも製造可能である。製本テープはしなやかなうえに強度があるので、たいへんよい素材である。
表紙になるシートは紙や布を張った紙、カラフルな紙、皮などを貼った高級感のあるもの、ポリプロピレンのシート等、様々な素材が考えられる。
【００２８】
使い勝手のいいもので、完成度の高いものとしては、表紙に、クリアホルダー様のものを2枚使ってつくるものである。クリアホルダー様のものを使うとしなやかで軽く、強度もあり、2枚のホルダーがポケットになり、落ちやすいものをそこに入れることができ、3方向あいている部分が１か所、２方向あいている部分が2か所あるという、非常に良いファイルが出来上がる。  
【００２９】
表題の文字であるが、２ミリの背表紙には手書きで書くより、印刷文字の方がはるかに見やすい。そこで、表題をラベル印刷のソフトを使って、印刷し、ラベルを張り付けられるようにした。ラベルの文字は、表紙、裏表紙も含めて、一度に３か所印刷すると便利である。
【００３０】
これまで、ファイルはいかに書類を留めるかということがテーマだった。しかし、試行錯誤および廃棄のための抜き差しのスピードを上げるためには、いかに早くファイル入れることができるか、ファイルから外れるかことが重要である。
また、留め具をつけると、どうしてもファイルの厚みが留め具に左右されてしまう。留め具の厚みがどうしても課題になる。また、挟むことのできる量は留め具の能力に制限される。
そこで、これらを解消するために、思い切って、留め具をつけず、ただ挟むという手法を採った。はさむだけなら抜き差しも格段にスピードアップするし、留め具をつけない選択は厚みを薄くするためにも、効果的で、書類の量がかなり増えた時にも、ホルダーの枚数や金具のはさめる能力にかかわらずたくさん挟むことができる。
ただ挟むという手法を採れば、書類の脱落の心配が考えられると思うが、意外にも、特に、表紙と同じぐらいの大きさの書類は摩擦と静電気、および、手で持ち上げえる時、多少の配慮をすることでかなり脱落はしないことがわかったのでこの方法を採用した。
【００３１】
さらに、できるだけ安価なファイルを作成するため、簡易の製品として、背表紙が多少平らにならない可能性があって、開閉のスムーズさには多少劣るが、二枚の表紙とマチを切り離さず、一枚のシートを、表紙とマチの間を、単に2か所折り曲げて作成した、3つの部分が一つづきで完成されるファイルも有効である。
【発明の効果】
【００３２】
この発明により、次のような効果があった。
１.背表紙がついた非常に薄いファイルができ、書類全体が見渡せるようになり、書類全体の把握ができるようになった。
２.書類等の内容物が抜き差ししやすく、頻繁な入れ替えが可能になった。さらに、ファイル自体も棚から抜き差ししやすいものになった。そのため、書類等の内容物、およびファイル自体も廃棄しやすいものとなった。そのため、非常に機動力があるファイルとなり、ファイリングの作業のスピードアップにつながった。
３.量の変化に対応しやすく、大変フレックスなファイルになった。
４.さらにたくさんの効果をあげることが出来た。
【００３３】
１.について。
表紙を折り曲げるのでなく、表紙と切り離された細いマチを、表紙にすき間をあけて、製本テープや布、紙に張り付けることで、ジョイントの部分が製本テープ等のみになる。その部分は柔らかいので、折れ曲がりが非常にスムーズで、開閉がしやすく、背表紙に影響を及ぼして歪曲させたりしない。さらに留め具をつけない選択をしため、２ミリという細さの背表紙も実現することができた。こうして、非常に薄いファイルを実現できた。
正面から見える、目に対して平行な、ほぼ、平らな背表紙を実現できたため、このファイルは背表紙が細くても棚に立てて並べて、表題を見ることができた。パソコン等によってラベル印刷をすると、2ミリなら文字を印刷しても快適に読むことができるようになった。厚さのうすいファイルを実現できたため、幅の限られた棚にもたくさん並べることができた。計算上では、２ミリの厚さのファイルは、１メートルに５００枚も並べることができる。実際は中に入れる量によって、５００枚までは並べられないとしても、かなり近い枚数を並べることが出来て、全体の書類や情報、あるいは物の名前、表題を一度にたくさん見渡すことができるようになった。
そのため、全体のファイルの背表紙を見ることで、全体の把握、現状の把握が出来、やっていることの全体を把握できるようになった。さらに、場所で書類を認識出来て、ピンポイントで目的の情報にたどり着くことがしやすくなった。
さらにまた、これまでのファイル等には、ファイルの厚さ、留め具の厚さ、ノートの使ってない部分、など余分な部分が多かったが、このファイルでは書類の最小限のスペースしか使わなくてよくなった。そこで、並べる棚の無駄なスペースは大幅に削減できた。
【００３４】
1.のもう一つの効果として、書類や物の最小単位をしっかりまとめて認識できるようになった。
このファイルに入れて背表紙をつけると、背表紙がはっきり見えることで書類や物、その事象の存在をはっきり認識しやすくなった。
そのため、目標などの実現の一助にもなる。
たとえば、まず先に、枠組み、すなわち、入れ物であるファイルに、目標などを、自分にあるいはみんなにはっきり見えるように、ラベルに書くか印刷してファイルに貼りつけたものを用意して、棚に見えるように並べる。そして、そのことを実現するためのアイデアや情報をどんどんその中に放り込んでいく。綴じこんだり貼りつけたりせずに、ただ入れるだけなので、作業は簡単で、こま切れの時間にちょこちょこできる。その後時間のある時に少しずつまとめたり、順序を入れ替えたりして、少しづつ調え、情報に語らせてまとめあげたり、実現に向かって仕事を進めていくことが出来、様々な頭の中にあるアイデアを実現しやすくなった。
このように、大きなファイルにたくさんの資料をとじこむのでなく、小さい単位でファイルをつくり、ラベルを貼って、書類が何かを棚に並べて見てわかりやすくすることを通じて、１つの情報、１つの資料の存在という、小さい単位をしっかりまとめて、非常にベーシックな部分をくっきりと際立たせることによって、事象に対する認識も変わり、記憶の中にとどめ、しっかり把握でき、書類等の行方不明を防ぐこともできて、さらに、さまざまなアイデアが浮かんだり、その実現に向かって大きく邁進することができる。
ハードであるファイルの進化を通じ、その中に書類等を入れて、わかりやすくすることで、ソフトである、目標というものを見失うことなく、まっすぐ目標に向かって進めるようになったのである。
そして、さらに、やりたいことや進めていることは１つ２つではないことも多いので、２ミリの幅ならば棚にたくさん並べて全体のことも見渡して考えることができる。複数のことを同時に様々なことを考えたり進行するのに有効である。
ながめは壮観で、心もすっきりしてヒーリングの効果もある。
混乱したり、行方を見失っている事柄や人たちの多い現在を考えるとその効果は果てしなく考えられる。
【００３５】
2.のファイリングのスピードアップについて。
ファイルの表紙がマチの方向に、１方向しかつながってないので、３方向が解放し、１８０度あるいは、持ち上げれば３６０度でも大きく開くファイルになった。
そして、表紙をマチとつなぐ、ジョイントの部分が製本テープなどの紙、布等で出来ているので開閉が非常にスムーズになった。  
さらに、留め具を使わず、とじないで、ただ、挟むだけでファイルすることで、ファイリングを高速化することができた。留め具がないため、中の書類等ははずす作業、綴じ付ける作業をしないで、簡単に抜き差しし、順番を変えることができ、試行錯誤のスピードに対応しやすく、特に作成途中や検討中の可動している書類を入れておくのに、特に効果的なファイルとなった。
挟むだけでも摩擦と静電気で書類等が脱落しにくい。
使用してみると、この、留め具を使わず、ただ挟んでしまうという快適さとスピード感には、しびれるものがある。
したがって、書類の廃棄も、開いて捨てるだけと大変簡単でスピードアップにつながった。
【００３６】
ファイリングのスピードに関してもうひとつ効果があがったことは、ファイルの中身の入れ替え、順番替えのスピードアップだけではなく、ファイル自体の抜き差しや移動、編成、場所替えもスピードアップができたことである。
このファイルは、留め具がなく、たいへん薄いため、軽く、まるでノートのような、あるいはノート以上の快適さが生まれた。そのために、分厚く重いファイルに比べて、ファイル自体を棚からたいへん抜き差ししやすくなった。
そのため、棚の場所の移動が簡単なので、資料等をとりあえず、この背表紙付きで薄い、ファイルに入れて、棚に並べてから、すこしづつでも場所の移動をして、近しい物を集めたり、徐々にふさわしい場所に移動することができるようになった。
最終的な場所を考えず、とりあえず、デスク等から棚にならべることができるのは、非常に時間の短縮になり効果的である。作業する場であるデスクを空けて、片づけるスピードが非常に短縮されるということは、スピードが要求される時、また、多様な仕事を並行してこなさないとならない時には非常に効果的である。
そして、たとえ、目的のファイルが少々前後の間違った場所に並べてあったとしても表題が見えやすいことで、その目的のファイルにたどり着きやすい。
よく、吟味され、整理され、整った資料あるいはプロジェクトを作るには、十分な試行錯誤が必要で、書類等も試行錯誤、前後のおよび、全体の入れ替えが必要である。試行錯誤中の資料を入れ、その資料を全体の中で俯瞰して見るのにたいへん効果的である。
ファイルの中での書類の試行錯誤をして、必要なもの、不必要なものがわかりやすくなれば、不要な書類を廃棄しやすさにもつながり効果がある。よく試行錯誤がおこなわれれば、本当に重要なものは少ないのではないかと感じることが出来た。
【００３７】
さらなる効果に、デスクの上での使いやすさ、片付けやすさ、開きやすさがあげられる。
このファイルは、留め具がなく、広げたときに、半分の大きさはまったく段差がなくて、広げた全体のサイズでも、中央に０．５ミリ弱ぐらいのとても細いすき間が二本あるだけで、広げたサイズのほぼ一枚のシートに近い状態になる。デスクに広げた透明なシートであるデスクマットのような状態である。
それは、まるで、ウインドウズの各ウインドウのように、それぞれのファイル、その中の書類やプロジェクトを机の上に開きっぱなしで、さらにその上に関連のファイルを広げることができ、それらをいくつも重ねた、その上でも、文字を書いたり、作業ができる。
そして、テーブルを片づけたい時には、まるで、ウインドウズの×マークをクリックするように、ただ、バッサリと半分に折って立てて棚野中に収納すれば、一瞬で机の上が片付く。スピード片付けが実現できる。
特に、表紙をクリアファイルで作ったものは、その作業に使っている、付箋やペン、消しゴムなどの文具等、落ちそうな小物を、左右の表紙についている底のつながったゾーンに入れ、そのまま必要なものをみんな入れた状態で、閉じて棚に入れることができる。すると、デスクの上はあっという間にすっかり片付き、棚に立てた状態になって、表題が正面から見えるのである。仕事してない時も、本立ての中に表題が見え、必要なものが一式入っているという安心感が感じられる。
また、やりかけの仕事を再開する時には、棚から取り出し、開くだけで魔法のように一瞬で再開できる。
【００３８】
次にファイルの中の、資料や物の量の変化へ対応するための効果を見てみる。
１枚でも大変重要な書類があると思うが、を棚に並べ、行方不明にさせないで、瞬間に取り出すのは大事なことである。そののち、壮大なプロジェクトに育っていく事象でも、もしかしたら、初めは契約書などのたった一枚の紙であることもある。
このファイルは、たった一枚の紙を入れても、棚に並べた時、表題がよく見えるのにもかかわらず、ファイルの中央のはらの部分は紙一枚と表紙の厚さを足した厚さに収まってしまう。表題の幅、ファイルの幅は２ミリも実現できる。
これまでのファイルはファイルの幅自体が厚いものが多いので、棚に置くと幅をとってしまいやすく、たった一枚の書類や薄いものは他のものといっしょに綴じこまれる可能性も高かった。大きなファイルに綴じこまれると場合によれば、忘れ去られ、行方不明になる可能性も高い。ものすごく重要なものはともかくとして、そこまででもないけれど大事なもののレベルでは独立した一つのファイルには入れにくかった。このファイルならば、そこそこのものでも躊躇することなく一つの独立した表題のついたファイルに入れて、常に棚の中で眺めることができるという効果を感じることができた。
【００３９】
さらに、このファイルは、量の増加ということにも対応できる。
このファイルは、幅がたった２ミリのファイルであっても、図７の（3）のように、表紙に挟める限りは、厚さがたとえ、１０センチ超えるようになっても、一応、その表紙の間に入れて、棚に立てることができる。通常、資料が増えて、ファイルの容量が足りなくなったり、閉じれなくなったり、中に入れることができなくなったりすることは時にあることだと思う。新しいファイルを準備するための時間が必要となる。
このファイルでは、かなり厚くなっても、はさんで立てることができ、非常にフレックスなファイルとなった。そのため、量の変化に対しての心配が少なくなるという効果を感じることができた。また、ファイル自体の厚さという無駄なスペースを減らすことができ、資料の厚さに対して、最低限のファイルの厚さしか必要ないので、ファイル自体の厚さが薄くなっただけでなく、さらに、場所の無駄を省いて、場所の有効活用ができるという効果が生まれた。
【００４０】
その他の効果も見ていく。
現在のところ、このファイルでもっとも完成度が高く便利さを感じることができるのは、図１のように、表紙をクリアファイルで作ったものである。非常に軽く、しなやかで、耐久性もあり、使いやすい。前述したが、表紙をクリアファイルで作った時にできる、それぞれの二枚の表紙の下の部分のつながったポケットの部分は、静電気や摩擦で貼りつきにくいもの、小さなものや重量のあるもの、落ちやすい物、小物、あるいは重要なものなどを入れるのに便利である。
資料等の中味を表紙の二つのポケットと、真ん中の部分という、３か所の入れることができる、場所別で使い分けて分類することができる。目次や内容物リスト、を入れたり、それぞれに、よく入れ替わるものと、あまり入れ替わらない保存のものを分けて入れることができたり、使い方によってさまざまな使い方の可能性が出てきてとても便利で効果的である。
さらに、このファイルは、厚いものも作れる。
厚く作ったものを使って、図8の（1）のように目隠し用ホルダーにすれば、資料の表題の顧客や目に触れて欲しくない人からの目隠し効果がある。
図8の（2）のようにいろいろな書籍等の目隠しにも使え、棚の美しさを追求する人には高さと色の統一感を楽しめる効果ももたらされる。
また、図8の（3）のようにファイルに商品名やサービスの名前、会社名電話番号を入れ、顧客に配り、棚に立ててもらうといつでも電話番号等がいつでも見えて、受注につながるという効果も考えられる。カタログなどは、ファイルをそのままに、中身だけを入れ替えてもらって、更新してもらうことができて経済的だ。
そして、図9の（1）のようにサイズの小さいものはまた効果の可能性が広がる。
例えば、年賀状は近年写真などが普及し、保存しておきたいものの一つだ。しかしながら、年数が重なると、場所をとり、しかたなく廃棄を考えざるを得ないものになる。年賀状も様々なフォルダーがあるが、入れたり出したりするのに時間がかかるものも多い。
このファイルならば、すこし厚めのファイルをつくって、そこに挟むだけで棚に並べられ、廃棄する時も、いちいち一枚づつ取り出して捨てなくても、綴じこまれていないので、開いて広げて、必要不必要を見て、不必要なものを一気に捨てるのに時間があまりかからない。ここでも、時間の節約という効果がある。
メモもメモ紙と同じサイズでつくって立ててそのまま保存ができる。他のものも様々なアイデアが考えられる。
図9の（2）は病院のカルテをイメージしてみたが、カルテの前で名前を探すというのは作業として、かなり頻繁に行われると思う。カルテを取り出す時間をほんの少しでも短くできれば、一日の労力はかなり軽減できると考えられる。
図9の（3）のように形を工夫すれば、引き出しのなど垂直に書類を出し入れするものも作ることができる。
図9の（4）のように書類の順番が決まって、もう変わって欲しくないものも、工夫により使用して、薄くまとめることができる。
図9の（5）では、このファイルの使い方の応用の最たるものであるが、完成して、もう順番の変わらない、書類に対するファイルの使い方である。ファイルを表紙として使い、書類をそろえて固定して、グル―ガン等の接着剤で小口を接着してファイルに固定してしまえば、製本業者に頼まないでもコンパクトにまとまった簡易な書籍のような、完成度が高い物ができる。個人でも書類をまとめるのに、ファイルに入れるという考え方だけではなく、簡易な書籍らしきものを作るという、実用と楽しみをつくっていく一助になる材料になることができるという効果があるのではないだろうか。
【００４１】
さらに、中のレフィルが考えられる。これらは表紙とつながっていないことで、出し入れに快適感を感じることができる。そのため、図10のように様々な中に挟むだけの中に入れるレフィルが考えられて、新しい。
【００４２】
以上のように、このファイルは、背表紙があって、非常に薄く、背表紙の幅が2ミリも実現できるファイルが出来、書類の全体を俯瞰して眺めることができる効果があった。また、書類や物の最小単位をしっかりまとめることができるようになった。ファイルの中の書類は抜き差ししやすく、また、ファイル自体も軽く棚から抜き差ししやすく、ファイリングにかかる時間が格段に少なくなった。デスクの上での作業もしやすくなり、片づけたり開いたりという作業も格段にスピードアップした。書類等の量に対しても自在に対応でき、利用のバリエーションも多数ある。ファイリングにかかる手間や、人件費も大きく削減できる。また目標をはっきりさせて、その実現の一助になったり、業績や学習、研究等の向上も期待できるる。大きなファイルに閉じ込められたタグではなく、ずらりと並んで整理された表題を眺めれば、心のヒーリングにもつながる、画期的な発明である。
【図面の簡単な説明】
【００４３】
【図１】ファイルの背中側からの図  表紙にクリアファイルを使った例  表紙にクリアファイルを使い、製本テープで接着し、ラベルを張った例。中央のマチの部分は２ミリの厚さも可能マチと表紙の間は約0.5ミリ弱すき間をあける。
【図２】立てた図  内側からと背側  （1）−ａ  内側からの図、表紙に一枚のシートを使った例  （1）−ｂ  表紙にクリアホルダーを使った例  （2）−ａ  背側からのほぼ閉じた図、表紙に一枚のシートを使った例  ラベル付き  （2）−ｂ  表紙にクリアホルダーを使った例  ラベル付き
【図３】水平に広げた平面図  （1）−ａ  表紙にクリアホルダーを使った例  内側  （1）−ｂ  背側  （2）−ａ  （１）−ａにラベルを貼った例  内側  （2）−ｂ  （1）−ｂにラベルを貼った例  背側
【図４】材料の貼り付け前の図
【図５】断面図（1）ファイルの上の部分の小口の拡大図  表紙にクリアファイルを使ったもの（2）広げた時の断面図（3）やや閉じた断面図
【図６】様々な使用例とバリエーション1  本立てにＡ4の背巾３ミリぐらいのファイルをラベルをつけて１７冊並べて立てた例
【図７】様々な使用例とバリエーション2  （1）表紙をクリアホルダーを使ったファイルにダブルクリップやゼムクリップで止めたものや、クリアホルダーにはさんだ資料をはさみ、文具を表紙のホルダーに入れて立てた図  いろいろなものが入る  （2）資料一枚入れた例  ファイルの真ん中のはらの部分は表紙プラス紙一枚の厚さになる  （3）たくさんの資料を入れた例  資料が多くなっても挟むことができる
【図８】様々な使用例とバリエーション3  （1）目隠し用のホルダーも作成可能  薄いファイルの上に幅の厚いファイルを重ねて見えなくした（2）本など高さの不揃いなものやカラフルな本などの目隠し  棚のみためを変えることができる  （3）会社名や売り込みたい商品、電話番号などをラベルにつけてお渡しし、棚に並べてもらうと文字が見えるので、他社と差をつける販促用にできる
【図９】様々な使用例とバリエーション4  （1）Ａ6などの小さいサイズで作ると、ＣＤ、ラベルやシール、ポストイット、メモ紙のアイデアをそのまま入れたり、年賀状などをいれるなど考えられる（2）横位置でつくる  カルテなど  棚の一段の高さを低くできる  （3）デスクの引出など  ハンガー型のファイルの代わりに  書類が落ちやすいのでシートをもう一枚つける  ａ，マチがないタイプ  ｂ，マチがあるタイプ  （4）書類の順番が決定し、2穴の留め具でとじたものを裏の一枚を挟みこんで閉じる  （5）書類の順番が決定したものを背になる小口をしっかり何かに挟んで固定したうえで（小口をきずをつけるとよくつく）、グル―ガンや接着剤でのり付けて、直接このホルダーにはさみ、のり付けて製本してしまう
【図１０】中にいれるレフィル  さまざまなバリエーションが考えられる  例（1）白紙  コピー用紙など自由な書式で枠組みをつくる（2）罫線（3）方眼紙（4）二段  上から入れる（5）二段  横から入れる（6）カードなど（7）文具など（8）ＣＤ、ＤＶＤなど（9）ＣＤ，ＤＶＤなどいろいろな入れ方が考えられる（10）付箋紙、ラベルなどのシート（11）コード類など物を立ててしまえるホルダー（12）厚いファイルを使って、その中に物を入れることのできるポケット  未使用時に平面になるよう面テープなどで立体になるように工夫するなど
【発明を実施するための形態】
【００４４】
各表紙をつくるために２枚のシート、背表紙の芯にマチを用意し、この３枚をつなぎ合わせるのに、製本テープまたは、強度のある紙か布のテープを用意する。2枚のシート、マチの素材は紙、ポリプロピレンのようなシートなど、様々なものが考えられる。(図4）
特に、表紙のシートにクリアホルダーを2枚使い、間にマチを挟んで背中合わせに貼り合わせて使うと、しなやかで、強度もあり、軽く、とても快適である。そして、表紙のシートにクリアホルダーを使うと、表紙部分に下のつながった書類等を入れるポケットが２か所できるので、中央の挟むところ以外に小さいものや頻繁に使わないもの、目次などを入れることが出来、非常に便利である。また、クリアホルダーは透明なので、中にいれたものがよく見えて便利が良い。
そして、中央にマチを貼り、その左右に、快適に曲がるように、必要十分なすき間を均等にあけて、その左右に表紙を張り付ける。クリアホルダーを表紙に使う場合はすきまは約０．５ミリ弱が良い。
そして、折れ曲がりをまげて、四角い文鎮などで上から程よくしごいてしっかりと接着し、曲がりを上から押さえて左右とも、曲がるくせをつける。
各表紙のシートには、デザインされた紙、布を貼った紙、皮を貼った紙なども考えられる。布や皮を使う場合は製本テープ様のものではなく、各表紙、マチを一枚のもので包むと美しい。
ラベルに書くか印刷して背表紙にを貼る。手書きよりは公開されているラベルのソフトなどでラベルを印刷して貼れば非常に美くなり、さらに見渡しやすくなる。
【００４５】
また、できるだけ安価なファイルを作成するため、背表紙が多少平らにならない可能性があり、開閉のスムーズさには劣るが、二枚の表紙とマチの間を切り離さず、一枚のシートを、背表とマチの間を、単に2か所折り曲げることによって作成し、3つの部分が一つづきで完成される簡易的な形態をとることもできる。
【実施例】
【００４６】
図1は背表紙にクリアフォルダーを使用して、やや広げて立てて背中側からみた図である。この図では、二枚のクリアファイルの間にマチを0.5ミリ弱の隙間をあけて、製本テープで貼り合わせたシンプルなものである。
メインの挟むところは真ん中である。ここの部分が、このファイルのもっとも特徴的な、留め具がなく、挟むだけという方法で書類をしまう部分である。
ここがこれまでにありそうでなかったこの形のファイルのもっとも特徴的な斬新なところである。これまではどうやって綴じるか、書類を動かなくするかが課題であったが、留めることをやめて、ただ挟むだけのファイルを実現したため、紙情報や物のファイリングの作業を高速化し、現代の膨大な情報、激変していく社会、そしてその情報の中で発生する大量かつ変化の激しい書類のともかくの定位置化および廃棄に対応し、ミラクルなスピードアップが図れる。
【００４７】
この図にあるような、表紙にクリアホルダーを使ったものが、もっとも便利さ、そして完成度が高い。
図を見ていただければわかると思うが、それそれ2枚の表紙の、つながっている部分はマチを挟んで、1か所、１辺、すなわち、1方向のみである。書類や物を挟むにあたって１８０度、デスクから持ち上げると、３６０度開き、間に物を挟むのは非常に挟みやすい。
ここで問題点は、挟んで閉じた時、書類が脱落してしまうのではないかということである。ファイルの進化の歴史もいかに留めつけるか、どんな留め具を使うか、飛び出さないためにはどういう飛び出し防止の形にするのかがたいへん大きなテーマの一つだった。
しかしながら、はさんで実験してみてもらえば分かると思うが、特に表紙のサイズに近い大きいサイズ、すなわち、ファイルがA4ならばA4の書類は摩擦と静電気等でかなり脱落しにくい。小さいものも、多少、持ち方工夫するか、落ちやすいものは、横の表紙であるクリアホルダーの下がつながったポケットの部分に入れてしまえば脱落の危険性はかなりなくなる。
使ってみてもらえばわかると思うが、書類が脱落してしまうことよりも、その収納のしやすさにまったく驚かされ、斬新さを感じるのである。
右左の表紙をクリアフォルダーで作ったものは、この表紙の部分は従来のクリアフォルダーの使い方とそう変わらない。2か所、２辺がつながっていて、Ｌ字型にしか開かない。しかし、メモ紙や付箋や消しゴム、ペンなど文具等は脱落しやすく、この、クリヤホルダーの中にいれると良い。
棚に立てた時、書類が何かわかるようラベルに文字を印刷して貼りつけてある。
中央に金具がないために、ラベルを張り付ける時も机にうつぶせにおいて、その上から張り付けるのもやりやすい。
【００４８】
安価を追究すると、表紙に一枚のシートを使ったり、さらに簡易化すれば、表紙、マチ、反対の表紙を一枚のシートを折り曲げて作るものもできる。
【００４９】
図2は一枚の表紙で作ったものと、挟むところのあるクリアファイルを表紙に使って作成したものをそれぞれ立てた図である。
（1）は内側からの図で、左のaは表紙に1枚のシートを使ったものである。右のｂは表紙にクリアホルダーを使ったものである。表紙に下がつながった部分が出来るので、小さな紙、文具等、あるいは頻繁に使わないものや目次なども入れておくとよい。
【００５０】
図2の（2）は（1）のほぼ閉じた姿を各背中側から見た図である。ラベルに表題を書くか印刷して貼りつけると中に何が入っているかよくわかる。マチが2ミリなど極細になると、市販のラベルやソフトを使って印刷する方が見やすい。手書きでは極細では見えにくいし、印刷すると美しく仕上がる。
【００５１】
図3の（1）は表紙にクリアファイルを使った例を、水平に広げた図面である。クリアホルダーとマチの間に0.5ミリ弱のすき間が開けてある。このすき間のおかげで、開閉が大変スムーズになる。表紙、マチ、の素材により、分厚かったら多少広くするなど工夫が必要である。
a.は内側を上にして広げ、上から見たものである。ｂ.は背側である外側を上にして、上から見たものである。
（2）は（1）にラベルを貼った図である。クリアホルダーや透明なシートを使えば、ラベルを貼った位置が見えて、ラベルの高さを揃えるのやりやすい。
【００５２】
図4はテープや製本テープに張り付ける前の図で、必要なものを示したものである。（1）は表紙に1枚のシートを貼った例、（2）は表紙にクリアホルダーを使った例である
【００５３】
図5の（1）は表紙にクリアファイルを使って作ったファイルの断面である小口を斜め上から見た拡大図である。マチを入れて、すき間をあけて貼り付けている状態がよくわかる。ここではすきまを0.5ミリ弱あけているが、このすき間により、開閉が非常にスムーズになり、背表紙が曲げた時、歪曲しないため、背表紙に貼ったラベルの表題が見えやすく、マチの幅が2ミリ程度の極細いマチも実現できる。歪曲すると見えにくいため、快適に文字が見えるようにするためには、マチの幅を広くせざるを得なくなり、棚に並べた時、場所をとってしまう。
図では表紙にクリアホルダーを使っているので、折り返されたものを貼り付けている様子が見えるが、一枚のシートを使えば、折り返しの部分がなく、断ち切れた部分が、マチにすき間を開けた状態で貼りついている状態になる。
安価な製品を作るため、切り離さないで、ただ折り曲げて表紙、マチ、表紙と一枚のシートで作る簡易的なものも考えられる。
（2）は広げた時の断面図である。ここのすき間0.5ミリ弱となっているが、表紙、マチ、テープの素材により快適に開閉できる幅を調整する必要がある。
【００５４】
図6は様々な使用例の中で、3ミリぐらいのマチの幅のファイルをつくり、ラベルをつけて、17冊並べて本立てに立ててならべた図である。
細い背表紙に書類の表題が貼ってあり、棚の前に立つと何があるのか表題を見渡せてとてもわかりやすい。
これが、大きな幅の厚いファイルに綴じ付けられ、タグが付けられているものでは、一度、たくさん閉じ込められて重くなってしまったファイルを棚から取り出し、タグを見回すかめくってみる作業をしなくてはいけない。この状態でも、特に分厚いものはなかなかタグの表題の文字が目と平行にならないので、何が入っていて、目的のものがあるかどうか探しにくい。
このファイルに入れておけば、情報の場所の移動、差し替えがしやすい。
【００５５】
図7の（1）は、たくさんの資料と物を入れた例。どんどん増える資料を目いっぱい入れた例。
急にデスクやテーブルを片づける必要があった時、そのときに使用していた文具なども全部入れて棚に立てて、デスクやテーブルを瞬間的に何もない状態にすることが出来る。留め具がないため、ファイルを広げると一枚のシートになるので、ファイル自体が邪魔にならない。そのため、そのファイルを広げた上で作業することが出来る。作業途中でもいったんそのまま閉じて棚にしまえるのである。
瞬間的に棚にしまったとしても、それが何であるか背表紙があるため、立てた状態で知ることが出来る。
図のように、クリップで止めてあっても、クリアホルダーの中に入っていても、他のものがあっても、そのままたたんでしまえる。仕事を開く、閉じてしまうという作業を一瞬で行うことが出来る。
【００５６】
また、図7.の（2）（3）のように、このファイルは書類、資料の枚数、量の増減にもフレックスに対応することが出来る。（2）では、もし、書類がたった1枚であれば、背表紙であるマチの幅が例えば2ミリあったとしても、ファイルの紙の挟まっている部分、はらの部分は表紙の厚みプラス紙1枚の厚みに収まり非常に薄くなって棚の幅をとらない。書類はたった一枚でも非常に大事なものや頻繁に参照するものがある。背表紙にその表題が書いてあり、棚に並んで目に平行で外から見ることが出来れば、その書類を取り出すのに非常にスピードアップできる。
そして、（3）の図のように、（1）でも述べたが、このファイルはマチがたとえ2ミリのファイルであったとしても、その中に、かなり書類が増えて量が多くなり、パンパンになっても、取り出す時に両手を添えて取り出すことは必要であるが、とりあえず、このファイルに挟むことは出来て、棚に並べことが出来る。ファイルの中身が増えて、ファイルを買い替えないといけないという事態はかなり面倒なことのひとつである。
【００５７】
図8のように、このファイルは様々なバリエーションが考えられる。（1）の図のように、顧客の名前や極秘情報など、目につくとまずいと考えられる表題を来客等からの目隠しに使うことが出来る。幅の広い背表紙でつくると良い。すでに棚に立っているファイルの上からカバーのように使う。図のように引きだしたら、中のファイルはこのファイルとつながってないので、この目隠しのファイルだけが引き出されるので軽く引きだされ、目的のファイルも薄いので軽くスムーズに取り出すことが出来る。
また、（2）のように、単に棚の美しさを追求して、見た目をきれいにするために使うことが出来る。高さがそろって見え、カラフルな各書籍類の色や様々な文字を統一でき、こだわる人には好みの色で棚を統一することもできる。
そして、（3）の図のように、薄くても表題の文字を棚にならべることが出来るので、物やサービスの名前や会社の名前、電話番号などを入れて、中にカタログ等を入れて販促用に配り、いつも目につくようお客様の棚に並べてもらい、必要な時すぐ電話がもらえるようにすることで、電話番号のお客様への見える化が図れる。このファイルは表紙と中身が離れているので、カタログが更新され、新たなものを配ると、そのファイルの中の古いものを捨ててもらい、新しいものと簡単に差し替えてもらうことが出来る。
【００５８】
図9は、このファイルの考えられる、さらなるバリエーションである。
（1）の図では、A6のサイズなどの小さいサイズの利用である。
年賀状は毎年届き、貴重な写真などもあるため、大事にしておきたいが、何年もすると溜まって量も増え、ある程度で残念ではあるがしかたなく破棄を考えることになってしまうもののひとつである。このファイルに入れれば、はさんで入れて棚に立てるだけなので、入れるのも破棄するのも非常に簡単で一枚ずつホルダーから取り出すような時間がかからない。
記入してある重要なメモ紙やシール、ラベル、ポストイット、CDなどもそのまま挟んで棚に並べることが出来、様々な利用法が考えられる。
（2）の図のように横位置も考えられる。病院のカルテも現在はA4でクリアホルダーに入れて立てて収納してあるところが多く、患者の名前の検索に時間が多少かかっているようである。頻繁に出し入れされているようなので、時間の短縮は便利になる子がするが、実際に使って実験していないので、それが便利かどうかははっきりしていないが、そういったものにも利用を考えることが出来る。
（3）の図はデスクの引出の中にいれるハンガー型のファイル、バーチカルファイルと言われるようなものの代わりになる。ハンガーは入れる時少し丁寧に入れないといけないが、このフォルダーだと入れる時に入れやすい。背表紙のマチが上で長い辺が下になってしまうため、基本のファイルでは書類が脱落しやすい。そのため、もう一枚シートを足して、畳んで折り返し、その部分を下向けに入れると良い。
ほとんどの書類の、もう一枚加える部分は  a.のようにマチなしタイプでいいと思うが、どうしても分厚いものは、  b.のマチありタイプを使っても良いと考えられる。
（4）および,(5)の図は書類の順番がすでに決定している書類の収納である。もともと、このファイルは、まだ計画中などの中の書類や資料が頻繁に動いて変化しているものに非常に向くファイルである。しかし、もう完成して、順番が決定してしまった書類の収納の条件は、書籍のように今度は順番が入れ替わらない、ということが必須の条件で、このファイルは向かないものとなる。クリアホルダーに入れた上で挟むという簡単な方法以外に、これを満たすのに二つのタイプを紹介する。
（4）の図のように、このファイルの一方の表紙を逆向けに貼る。つまり、折り返してある部分をファイルの端、外側、マチの反対の方に向けて置く。そして、反対の内側になった方を、もう一方の表紙を接着したマチに貼りつける。
逆向きに接着した表紙の内側になっている一枚はマチの部分から多少控えるために少し短く切る。クリアファイルは下側の一方を超音波の接着で留めてあるが、上になる部分は2枚が閉じないで解放している。そこを、図のように、下側と同じように接着してポケットを作る。
次に、中に入れる書類を、一つには、2穴の穴をあけ、留め具で留めたもの、あるいは他の方法で、綴じ合わせたものを用意する。その綴じあわせられた書類の、一番端の一枚をファイルのポケットの中に差し込む。そして表紙を閉じる。中の書類は表紙とは簡単にしかつながっていないが、それぞれの書類どうしは順番が入れ替わることはなく、棚に並べても美しく、フラットファイルほどは無駄なスペースをとらない。
【００５９】
（5）の図は製本の技術に近い。
書類の順番が決定したものを、縦横はみ出ないようにきれいに重ねあわせる。背になる小口に、グル―ガンか接着剤でのりづけて、このファイルに挟んで直接接着してしまうというものである。製本するにあたって、製本用の接着剤のシートが販売されているが、グル―ガンも同様の接着材の素材であるので、少量の冊子を作るには手軽に利用できる。接着する前に書類をしっかり挟んで固定したうえで、小口をのこぎりなどで多少傷をつけるとしっかり接着ができる。
【００６０】
図10.はこのファイルの中に入れるレフィルのバリエーションである。表紙と中味が綴じ付けられていない収納は、取り出したり収納したりするのに大変便利である。それゆえに、このファイルの中に入れてしまう様々なレフィルがあると便利である。
今はパソコンが行き渡り、このファイルを外側のフォルダーとして使い、コピー用紙を使い、各人が自由に必要にあったレフィルを作れば利用価値はたいへん高まる。また、ルーズリーフのレフィルのようにアイデアあふれるレフィルを販売すればまた様々な可能性も広がる。
（1）（2）（3）は白紙や罫線。ルーリーフのようにあらゆる可能性が考えられる。
（4）（5）（6）は各種ポケット。レフィルが表紙と離れるので、取り出し、収納が格段にやりやすくなるのが感じられる。宅配便の伝票やカードなど収納したいものはたくさん考えられる。
（7）から（9）までは文具やCDなど細かいものを入れる収納
（10）は付箋のシート。現在は付箋は一枚づつ重なった、ブロック型になっているものが多く、1枚書き終わって、2枚目を書くのにはがさないと次が書けず、一気に大量に書いてあとで貼りつけるのには向かない。シート型にして、このファイルに入れて収納すれば、使いやすくなる場合がある。
(11)はコード類を描いたが、いろいろなものを棚に立てて収納することが進めば、便利になるものも増えてくる。
（12）はさらに大きなものを収納するレフィルである。立体型になっているが、販売時や使わず収納する時には厚みが無くなって欲しいという考えから、部分的にマジックテープ（登録商標）、面ファスナーで組立れば実現する可能性が高くなる。
【００６１】
背表紙に張り付ける表題のラベルに関してだが、エクセルのデータに入った表題をコピーして貼り付けるだけで、（あるいは直接入力する）自動で背巾に合わせた文字の大きさと、表表紙、裏表紙あわせて３か所印刷するように枠を作ったラベル印刷ソフトでラベルを印刷し、中央がずれないように注意して、他のラベルとを同じ高さにあわせて張り付けると作りやすく美しい。
各、背表紙の幅にあった文字が自動的に印刷できる、ラベルの枠組みのサイズをいれて、サイズのところを開くと、勝手にインターネット上のラベル印刷ソフトにリンクできるようにして、各自宅や事務所のパソコンやプリンターですぐに印刷できるように、ラベルも一緒に提供するとさらに便利である。
【産業上の利用可能性】
【００６２】
各個人、各家庭、各産業、各行政、国家、各研究機関等での現場において、情報を整理し、優先順位の高いものを際立たせ集中する、そして、その部分へ立ち向かい、試行錯誤を繰り返し、答えや結果を求めていくということ、あるいは、持っている情報を整理し、いつでも取り出せる状態に磨き上げていくことはどの現場においても非常に大事なことである。また、ファイリングにかかる時間、人件費、スペースを極力削減する事もまた重要な課題である。
この度、こうして、そのスピードアップのための強力な武器を世に紹介し、送り出せることを大変喜ばしいことと感じている。
壮大なプランや改革を進める前に、１人の人が手元の資料、情報をどう取りまとめ、たくさんの情報の中から、限りある今日一日の中で何を切り捨て、何に集中して物事を進めていくかを考えることは、いつの世でもどんな立場の人においても、最も重要な課題の一つである。
現在、厳しい時代に突入している。課題は山積している。アイデアの粋を集めて共有し、知恵をしぼり、厳しい時代を乗り切らなければならない。
【００６３】
大事なことがはっきりせず、優先順を取り違え、混乱は怒りを増大させ、失敗をもたらし、倒産の憂きにあい、やる気を失わせ、人は争い、果ては犯罪、人殺し、果てしのない戦争へ足を踏み入れる。
それぞれ個人個人が、大事なことを見極め、見つめ、そこに向かって、混沌から脱出の一歩を踏み出す必要がある。
手元の資料や興味のある情報が美しくタイトルを光らせて棚に並んだ時、どんなにか心はヒーリングされるであろう。ファイリングの快適さに驚き、自分の可能性を感じるであろうか。経済効果はどれほどであろうか。
【００６４】
日本の中においても、家族の不和、DV、子どもへの虐待、不登校、学力の低下、社会への不適応、ストレスの増加、離婚、少子化、雇用問題、老人介護問題、都市への一極集中の都市問題、地方の創生問題、等々、問題は山積している。書類や資料は山積していないだろうか。大きなファイルに閉じ込められたまま、見つめられない状態になってないだろうか。
このファイルによる問題の掘り起こしが、さまざまな問題を解決していく糸口をもたらす、ハードの部分からの一助になりはしないだろうか。
【００６５】
もっと、具体的な地方再生への可能性をあげてみる。
このファイルは材料が調えば誰でも簡単に手作業で作成することができる。しかしながら、事務所や学校、役所などや、もちろん個人の方でも、大量の書類を一度に整理してこのファイルに入れ替える、となると、大量に生産したものを購入していただける需要がある可能性がある。材料はかなり安価なものでできるので、予想している、設定価格のほとんどが人件費である。コツを習得したり、生産のための道具により、一枚の作業時間も格段に短くなり、価格も安価に押さえられる。
この書類を書いている２０１４年現在、ここ愛知県の内職の賃金はものすごく低く抑えられている。１０月１日から愛知県の最低賃金の基準が１時間当たり８００円となった。しかし、内職の時間当たりの賃金はそんなことなどお構いなしでかなり低いものとなっている。中国の安い人件費にひきずられているのだろうか。
中国や外国に製造拠点が移動して、産業の空洞化が広がって久しい。昨年も近所の服地店が営業をやめられた。店長の話によると、何でも、たくさんあった岐阜県の生地の生産業者がここにきて、次々廃業されていることが原因とのことだ。中国産の服地は入りにくいし、質が違って扱いたくないとのことだ。いまだに、空洞化が進んでいるのかと残念な気持ちだ。
もう一つの原因は、学校で家庭科をあまり教えなくなったということらしい。若い子供たちが、洋服どころか、彼氏の巾着の一つも作らなくなったそうだ。家庭科は家庭で教えて下さいとのことなんだと説明を聞いた。そんなことは聞いてない。子どもたちに家庭で教えないまま来てしまっている。製作の喜び、製作したものを自分で使う喜び。私にとっては、家庭科の製作は新しいものを作り出していく力を確実に伸ばしてくれたと思っている。洋裁学校に行く人たちが確実に減って困ったことになっているらしい。こちらも残念な気持ちだ。崩壊している家庭も多い現代において、家庭科は生きる上では重要な教科ではないだろうか。
こうしたことが、縮小から再生へということを考える足掛かりに出来ると良い。
【００６６】
できれば、このファイルの製作を、地元の人たちの手によって、手作業でで出来ないかと考えている。小さい子供さんがいて、決まった時間に働けないけど教育費を何とかしたい人、定年退職したが、年金暮らしが厳しい人、学校を不登校などで、うまく卒業できず、就職できなかった人、等、地元にも仕事を待っている人はたくさんいる。
ファイルの製作をそういった方々の雇用によってできないかと考えている。製作をどこかへ依頼してしまえばどんなにか簡単であろう。しかし、製作の工場などを中国や外国に出さないで、何とか、出来れば、地方の小都市、地元の創生の材料にできないか、一産業にならないかと考えている。新しいものを作り出す喜びを地元の人々と分かち合い、コミュニケーションの材料にできないだろうか。内職や製作作業で時給８００円を実現できないだろうか。社会からフェードアウトせざるを得なかった人の社会への復活の切符になることはできないだろうか。国、県や市、学校にファイルを買ってもらうことが地方の創生と雇用につながる可能性があるのではないか。
【００６７】
また、必要があれば、ファイル納品時に、背表紙のラベルに各表題を印刷して納品するまでのサービスをすることもできる。ファイルの製作、ラベルの貼りつけは誰でもコツを飲み込めば、すぐに作成できるがゆえに、地元の産業の活性化、若者の育成に利用出来る可能性は確実にあると思う。
【００６８】
ファイルのテーマの一つ、問題点を掘り起し、優先順を考えて、重要なことを見つめるということに関して、さらに記述する。
今の時代に、最も重要なことの一つは教育であると考える。
現在の社会において我々は、ゲームやスマホに明け暮れ、その奴隷となって、どうにもならない、若い人を中心にした、たくさんの人々の存在を放置し、あふれる情報の中で、人間としての大事なことを見失い、商業第一主義に歯止めをかけられず、学力の低下や社会への不適応や、犯罪の増加や労働者の減少を引き起こす原因の一つとなっている状況を見つめないで、ナタを振り下ろすこともなく、彼らの夢や行先を照らすこともできないままになっているのではないか。
はっきりと問題を見据え、取り組み、道を見出す必要がある。大事なことは何かということをはっきりと言葉にして見つめることが重要なのではないか。情報を整理し、テーマや目標を明らかにし、それに向かって、しっかりと取り組みをしていく必要がある。様々なところで行方を冷静に見つめ直す必要があるのではないか。人としてどうあるべきかというテーマはもっと論議の対象になってもいいのではないか。
インターネットやコンピューターが発達した現代においても、やはり、個人の持つ情報の整理をし、個人個人が目標を見つめなおし、目標をはっきりさせて、目標に向かって進む行動をとることができれば、そういった、人がたくさん寄り集まった時に、集団として、国家として、地球全体として、トータルの力は何倍にもなるだろう。まず、小さな個人をしっかり整え、しっかりと際立たせることが大事なのではないか。
その作業をしていくのに、進化したファイルは力を発揮するものとなる可能性がある。
【００６９】
国をあげて、最優先はどういうことをもう一度見つめ、しっかり考える必要がある。我々は、モラルや人はどうあるべきかという教育を怠ってしまった国を見てきたはず。
人の教育こそが世の中を変えていくのではないだろうか。持続可能な社会は持続可能な人になれるように、1人1人にしっかりと持続可能な教育をしてこそなのではないのだろうか。各レベルで、アイデアや知恵をしぼり、試行錯誤していけば、きっと少しづつ変わっていくはずである。
【００７０】
たった、一人の人、一編の文章、一つのファイルが何かを変えていく力になりはしないだろうか。
このファイルは、青色LEDのように、日本が世界に誇る製品の一つになり、また、大きく何かを変えていく可能性もあるのではないか。
【符号の説明】
【００７１】
1、表紙
2、マチ
3、テープ、製本テープ
4、ラベル
5、すきま
6、たくさんの資料
7、物
8、はら
【図１】
2016117230.tif 000003
【図２】
2016117230.tif 000004
【図３】
2016117230.tif 000005
【図４】
2016117230.tif 000006
【図５】
2016117230.tif 000007
【図６】
2016117230.tif 000008
【図７】
2016117230.tif 000009
【図８】
2016117230.tif 000010
【図９】
2016117230.tif 000011
【図１０】
2016117230.tif 000012